(57)【特許請求の範囲】
【請求項１】
情報処理装置本体にデータを入力する入力装置から、前記情報処理装置本体に接続された受信器にワイヤレスで送信を行う情報処理装置のワイヤレス入力システムにおいて、
前記情報処理装置本体と前記入力装置を１対１に対応させるためのＩＤ情報を保持する入力装置保持手段と、
前記入力装置から前記受信器に所定の通信チャンネルでＩＤ情報及び通信チャンネル情報を送信する入力装置送信手段と、
ＩＤ情報登録可能モード時に、一定の時間だけ順々に通信チャンネルを変更し、前記入力装置からのＩＤ情報、通信チャンネル情報を受信する受信器受信手段と、
受信できた通信チャンネルと受信した通信チャンネル情報が合致した場合、受信した前記ＩＤ情報、前記通信チャンネル情報を登録する受信器登録手段とを備え、
前記受信器に表示部を設け、前記表示部は、ＩＤ情報登録可能モード、ＩＤ情報登録不可モード、ＩＤ情報と通信チャンネル情報の受信のエラーを含む前記受信器、前記入力装置の状態を表示することを特徴とする情報処理装置のワイヤレス入力システム。
【請求項２】
前記情報処理装置本体に設けられるアプリケーションを操作することにより、前記受信器受信手段をＩＤ情報登録可能モードにすることを特徴とすることを特徴とする、請求項１に記載の情報処理装置のワイヤレス入力システム。
【請求項３】
前記情報処理装置本体に設けられるアプリケーションは、前記受信器からＩＤ情報登録可能モード、ＩＤ情報登録不可モード、ＩＤ情報と通信チャンネル情報の受信のエラーを含む受信器、入力装置の状態の情報を入力し、前記情報処理装置本体に設けられる表示部に表示させ、さらに、キーボード、マウスの操作ガイドを前記表示部に表示させることを特徴とする、請求項１に記載の情報処理装置のワイヤレス入力システム。
【発明の詳細な説明】
【０００１】
【産業上の利用分野】
本発明はパーソナルコンピュータ、電子計算機を含む情報処理装置のワイヤレス入力システムに関する。特に、本発明は、ＩＤ（識別）と通信チャンネルを同時に実施する情報処理装置のワイヤレス入力システム及びそのＩＤ情報設定方法に関する。
【０００２】
【従来の技術】
従来技術の情報処理装置のワイヤレス入力システムとして、特開２００１−１０９５６４号公報にワイヤレスキーボードＩＤ登録方法が開示されている。以下にこのワイヤレスキーボードＩＤ登録方法について説明を行う。
図８はワイヤレスキーボードＩＤ登録方法を説明する概略構成を示すブロック図である。
【０００３】
本図に示すように、ワイヤレスキーボード７１０のあらかじめ定めた複数の特定のキーを押下すると、ワイヤレスキーボード７１０が固有のＩＤ番号を無線電波で送信し、受信機７１２がＩＤ番号を受信しパソコン７１４がＩＤ番号を入力する。
これにより、パソコン７１４に接続されている受信機７１２と、ワイヤレスキーボード７１０との一対一の対応関係が設定される。
【０００４】
さらに、従来技術の情報処理装置のワイヤレスシステムとして、特開平５−２０４５２０号公報に電子計算機への無線キーボード接続方式が開示されている。以下にこの電子計算機への無線キーボード接続方式について説明を行う。
図９は電子計算機への無線キーボード接続方式を説明する概略構成を示すブロック図である。
【０００５】
本図に示すように、キー入力に対し、キーボード８０１のエコーバック表示制御機構８１２がエコーバック用ディスプレイに入力文字を表示後、無線信号発信機構８１３に入力文字コードを渡す。
無線信号発信機構８１３は無線通信手段８０３を使用して無線信号変換機構８２１に対し、キー入力又は電源オン・オフの指示電文を送る。
【０００６】
ＣＰＵ８０２の無線信号変換機構８２１は送られる電文を解析し、電文に含まれるキーボードＩＤがあらかじめ登録されている値と一致するときは電文をキーボード入力信号又は電源オン・オフ指示信号に変換し、所定の動作を指示する。
【０００７】
【発明が解決しようとする課題】
しかしながら、従来技術の上記情報処理装置のワイヤレス入力システムには、チャンネル設定が無いことを前提条件としている場合、近くに情報処理装置が複数存在すると、混信が発生し、入力情報の漏洩が発生するという問題がある。
さらに、複数の情報処理装置の使用において、ワイヤレスキーボード７１０、キーボード８０１の入力装置とパソコン７１４、ＣＰＵ８０２の出力装置で合致していることが前提条件となるため、情報処理装置のオペレータが入力装置及び出力装置の双方に通信チャンネルをまず設定してからでないとＩＤ登録ができないので操作が煩雑になるという問題がある。
【０００８】
したがって、本発明は上記問題点に鑑みて、複数の情報処理装置におけるワイヤレス入力システムにおいて、混信、入力情報の漏洩を防止し、且つ通信チャンネルの設定、ＩＤ登録の操作を容易にする情報処理装置のワイヤレス入力システム及びその設定方法を提供することを目的とする。
【０００９】
【課題を解決するための手段】
本発明は前記問題点を解決するために、情報処理装置本体にデータを入力する入力装置から、前記情報処理装置本体に接続された受信器にワイヤレスで送信を行う情報処理装置のワイヤレス入力システムにおいて、前記情報処理装置本体と前記入力装置を１対１に対応させるためのＩＤ情報を保持する入力装置保持手段と、前記入力装置から前記受信器に所定の通信チャンネルでＩＤ情報及び通信チャンネル情報を送信する入力装置送信手段と、ＩＤ情報登録可能モード時に、一定の時間だけ順々に通信チャンネルを変更し、前記入力装置からのＩＤ情報、通信チャンネル情報を受信する受信器受信手段と、受信できた通信チャンネルと受信した通信チャンネル情報が合致した場合、受信した前記ＩＤ情報、前記通信チャンネル情報を登録する受信器登録手段とを備えることを特徴とする情報処理装置のワイヤレス入力システムを提供する。
【００１０】
この手段により、受信器の通信チャンネルを一定時間の間に変化させてＩＤ情報を受信することにより、受信器の通信チャンネルを入力装置の通信チャンネルに合わせることができるので、他の情報処理装置との混信、漏洩を容易に防止できる。さらに、受信器においてＩＤ情報と通信チャンネル情報を受信した通信チャンネル情報を、通信に使う通信チャンネルとするため、受信器と入力装置の双方に通信チャンネルをオペレータがそれぞれ行う必要が無いので、設定が簡単化できるようになる。
【００１４】
好ましくは、前記受信器に表示部を設け、前記表示部は、ＩＤ情報登録可能モード、ＩＤ情報登録不可モード、ＩＤ情報と通信チャンネル情報の受信のエラーを含む前記受信器、前記入力装置の状態を表示する。この手段により、オペレータに情報を提供することが可能になる。
【００２１】
好ましくは、前記情報処理装置本体に設けられるアプリケーションを操作することにより、前記受信器受信手段をＩＤ情報登録可能モードにする。この手段により、受信器受信手段をＩＤ情報登録可能モードにするための新たなボタン付加が不要になる。
【００２２】
好ましくは、前記情報処理装置本体に設けられるアプリケーションは、前記受信器からＩＤ情報登録可能モード、ＩＤ情報登録不可モード、ＩＤ情報と通信チャンネル情報の受信のエラーを含む受信器、入力装置の状態の情報を入力し、前記情報処理装置本体に設けられる表示部に表示させ、さらに、キーボード、マウスの操作ガイドを前記表示部に表示させる。
【００２３】
この手段により、受信器、キーボード及びマウスのような入力装置の状態表示を情報処理装置本体のアプリケーションにより実現しているので、オペレータにわかりやすい表示にできるようになる。
【００２５】
【発明の実施の形態】
以下、本発明の実施の形態について図面を参照して説明する。
図１は本発明に係る情報処理装置のワイヤレス入力システムであって第１の実施例の概略構成を示すブロック図である。なお、全図を通して同一の構成要素には同一の番号、符号を付して説明を行う。
【００２６】
パーソナルコンピュータ、電子計算機等の情報処理装置のワイヤレス入力システム１００は、本図に示すように、情報処理装置本体１０１、情報処理装置本体１０１に接続される受信器１１０、及び、受信器１１０へ電波を送信する入力装置１２０から構成される。
受信器１１０は情報処理装置本体１０１に接続され、情報処理装置本体１０１に内蔵され、又は情報処理装置本体１０１若しくは情報処理装置１００の表示装置に内蔵される。
【００２７】
情報処理装置本体１０１には表示部１０２が設けられ、表示部１０２は、例えば、ＬＣＤ（液晶表示）から構成され、情報処理装置本体１０１の状態を表示する。
入力装置１２０は、代表的には、キーボード、マウス、リモコン、ジョイスティック等から構成される。
【００２８】
入力装置１２０から受信器１１０に対して、ワイヤレスの無線で、情報処理装置本体１０１を操作するための入力データが送信される。
より詳細には、入力装置１２０には送信部１２１が設けられ、送信部１２１は、電波を送信する送信アンテナ１２４を介して、所定の通信チャンネルで情報処理装置本体１０１に入力される情報を送信出力する。
【００２９】
入力装置１２０にはチャンネル設定ボタン１１９が設けられ、チャンネル設定ボタン１１９は、所定の通信チャンネルを送信部１２１に設定し、又は設定・維持するために、使用される。
チャンネル設定ボタン１１９を調整することにより、通信チャンネルを変更することが可能である。
【００３０】
さらに、入力装置１２０にはＩＤ（識別）送信ボタン１１８が設けられ、ＩＤ送信ボタン１１８は、チャンネル設定ボタン１１９により設定されている通信チャンネルで、ＩＤ送信ボタン１１８が一定時間ＯＮにされている間、又はＯＮにされている間、受信器１１０にＩＤ情報を送信するために使用される。
【００３１】
さらに、入力装置１２０には入力装置設定記憶部１２２が設けられ、入力装置設定記憶部１２２は、例えば、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）、ＦｌａｓｈＲＯＭ等の書き換え可能なＲＯＭ、バックアップ電池等で内容を維持できるメモリで構成され、情報処理装置本体１０１と入力装置１２０とを１対１に対応させるためのＩＤ情報等の設定情報を予め保持する。
【００３２】
ＩＤ送信ボタン１１８、チャンネル設定ボタン１１９、送信部１２１及び入力装置設定記憶部１２２には入力装置マイクロコンピュータ１２３が接続され、入力装置マイクロコンピュータ１２３は、ＩＤ送信ボタン１１８がＯＮにされたらチャンネル設定ボタン１１９から入力される通信チャンネルを送信部１２１に設定し、入力装置設定記憶部１２２からＩＤ情報を読み出して送信部１２１にＩＤ情報、通信チャンネル情報を送信させる。
【００３３】
ここで、ＩＤ情報と共に通信チャンネル情報を送信する理由は、後述するＩＤ情報登録後の通信時に、受信器１１０で合致しない通信チャンネルでＩＤ情報を受信できる場合があるのでこれを排除するためであり、さらに、送信している通信チャンネルと受信している通信チャンネルの同期をさせるために必要となるからである。
【００３４】
なお、チャンネル設定ボタン１１９、ＩＤ送信ボタン１１８は、入力装置１２０のスイッチ、スイッチの押下の組み合わせ、又は一連の操作によって実現してもよい。
次に、受信器１１０にはＩＤ登録ボタン１１３が設けられ、ＩＤ登録ボタン１１３は、一定の時間の間だけ、情報処理装置本体１０１と入力装置１２０とを１対１に対応させるＩＤ情報を受信可能にするモードに受信器１１０を遷移させるために、使用される。
【００３５】
受信器１１０には受信部１１６が設けられ、受信部１１６は、入力装置１２０の送信アンテナ１２４からの電波を受信する受信アンテナ１１１を介して、ＩＤ情報、通信チャンネル情報を受信する。
受信器１１０には受信器設定記憶部１１５が設けられ、受信器設定記憶部１１５は、例えば、ＥＥＰＲＯＭ、ＦｌａｓｈＲＯＭ等の書き換え可能なＲＯＭ、バックアップ電池等で内容を維持できるメモリで構成され、入力装置１２０から送信されるＩＤ情報、通信チャンネル情報を登録する。
【００３６】
ＩＤ登録ボタン１１３、受信器設定記憶部１１５及び受信部１１６には受信器マイクロコンピュータ１１４が接続され、受信器マイクロコンピュータ１１４は、ＩＤ登録ボタン１１３を押してから一定時間の間、受信部１１６に順々に通信チャンネル（ｃｈ０、ｃｈ１、…、ｃｈｎ）を設定し、どの通信チャンネルでＩＤ情報、通信チャンネル情報を受信できるかを判断し、受信したＩＤ情報、通信チャンネル情報を受信器設定記憶部１１５に登録させる。
【００３７】
受信器マイクロコンピュータ１１４には表示部１１７が接続され、表示部１１７は、例えば、ＬＣＤで構成され、受信器１１０及び入力装置１２０の状態を表示する。オペレータに情報を提供するためである。
なお、ＩＤ登録ボタン１１３は物理的なスイッチの他、情報処理装置本体１０１から入力される信号としてもよい。
【００３８】
また、表示部１１７は、ＬＣＤ、モニタ等で構成できる他の情報処理装置本体１０１に表示情報を入力するようにしてもよい。
したがって、本発明によれば、受信器１１０には通信チャンネルを設定するボタンが無く、入力装置１２０だけに通信チャンネルを設定するチャンネル設定ボタン１１９が設けられ、且つ入力装置１２０のＩＤ送信ボタン１１８を押下したときに、入力装置１２０からチャンネル設定ボタン１１９で設定された通信チャンネルでＩＤ情報が送信される。さらに、受信器１１０の通信チャンネルを一定時間の間に変化させてＩＤ情報を受信することにより、受信器１１０の通信チャンネルを入力装置１２０の通信チャンネルに合わせることができるので、情報処理装置のワイヤレス入力システムの設定を簡単化できる。
【００３９】
図２は図１における情報処理装置のワイヤレス入力システムの動作例を説明するフローチャートを示す図である。
ステップＳ２０１において、最初に、入力装置１２０のチャンネル設定ボタン１１９で所定の通信チャンネルを設定する。
ステップＳ２０２において、入力装置１２０では、チャンネル設定ボタン１１９で設定された所定の通信チャンネルで送信できるように、送信部１２１の設定を行う。
【００４０】
ステップＳ２０３において、受信器１１０のＩＤ登録ボタン１１３の押下操作で、押下した時点から一定時間の間、ＩＤ情報登録可能モードとなる。この一定時間は、後述するステップＳ２０６によって設定されるループカウンタを使って実現する。受信器マイクロコンピュータ１１４は、表示部１１７にＩＤ情報登録可能であるという指示を行う。表示部１１７はＩＤ情報登録可能モードであるという表示を行う。
【００４１】
ステップＳ２０４において、入力装置１２０の操作で、ＩＤ送信ボタン１１８が押下される。
ステップＳ２０５において、入力装置１２０の入力装置マイクロコンピュータ１２３は、入力装置設定記憶部１２２からＩＤ情報を読み出し、送信部１２１にＩＤ情報と通信チャンネル情報を入力させ、入力したＩＤ情報、通信チャンネル情報の送信を開始させる。
【００４２】
ステップＳ２０６、ステップＳ２０７において、受信器１１０の受信器マイクロコンピュータ１１４は、ループカウンタをセットし、受信部１１６の通信チャンネルをチャンネル（ｃｈ）０に設定する。
ステップＳ２０８において、受信器マイクロコンピュータ１１４は、入力装置１２０から最低１回分のＩＤ情報と通信チャンネル情報を受信可能とする時間だけ、受信部１１６を受信可能な状態のままにする。受信部１１６がＩＤ情報と通信チャンネル情報が受信でき、且つ、受信した通信チャンネル情報が受信した通信チャンネルと合致した場合には、ステップＳ２１４に進む。上述の受信可能な状態のときに、待ち時間が過ぎたらステップＳ２０９に進む。
【００４３】
ステップＳ２０９において、受信器マイクロコンピュータ１１４は、通信チャンネルを次のチャンネル（ｃｈ）１に変更し、受信部１１６に通信チャンネルを設定する。
ステップＳ２１０において、次の通信チャンネルを設定する際に、既にチャンネルの設定が一巡していなければ、ステップＳ２０８に戻り、一巡していることが判明したら、ステップＳ２１１に進む。
【００４４】
ステップＳ２１１において、受信器マイクロコンピュータ１１４は、ループカウンタをデクリメントすることにより、一定回数分の通信チャンネルの切り替え及びＩＤ情報と通信チャンネル情報の受信動作を繰り返したかを確認する。もし、一定回数分繰り返されていなければ、ステップＳ２０８に戻り、一定回数繰り返されていれば、ステップＳ２１２に進む。
【００４５】
ステップＳ２１２において、ＩＤ情報と通信チャンネル情報の受信に失敗した場合には、受信器マイクロコンピュータ１１４は受信器設定記憶部１１５から既に登録されている通信チャンネル情報を取り出し、受信部１１６に設定する。それから、受信器マイクロコンピュータ１１４は表示部１１７にＩＤ情報と通信チャンネル情報の受信のエラーを表示するという指示をし、表示部１１７はＩＤ情報と通信チャンネル情報の受信のエラーを表示する。
【００４６】
ステップＳ２１３において、入力装置１２０の操作によって、ＩＤ送信ボタン１１８が離されたら、ＩＤ情報と通信チャンネル情報の送信は停止され、処理を終了する。
ステップＳ２１４において、受信器１１０ではＩＤ登録ボタン１１３の押下後一定時間後に、又は、ＩＤ情報、通信チャンネル情報登録後にＩＤ情報登録不可モードになる。
【００４７】
ステップＳ２１５において、ステップＳ２０８で、受信部１１６がＩＤ情報と通信チャンネル情報が受信でき、且つ、受信した通信チャンネル情報が通信チャンネルと合致した場合、受信器マイクロコンピュータ１１４は、受信器設定記憶部１１５にＩＤ情報と通信チャンネル情報を登録し、ＩＤ情報登録可能モードからＩＤ情報登録不可モードに移行し、表示部１１７にＩＤ情報登録不可モードを表示する指示をし、表示部１１７はＩＤ情報登録不可モードであることを表示し、ステップＳ２１３に進む。
【００４８】
なお、ステップＳ２０４は、ステップＳ２０５の後を除くステップＳ２０１〜ステップＳ２１２に至るまでの間ならば、どのステップの間で実行してもよいが、ＩＤ情報と通信チャンネル情報の登録が成功する可能性を高めるため、ステップＳ２１３で行うことは妥当である。
【００４９】
また、ステップＳ２０４の次にステップＳ２０５の実行は必須である。
また、ステップＳ２１３は、ステップＳ２０５〜ステップＳ２１３の間に実行することが可能であるが、ＩＤ情報と通信チャンネル情報の登録が成功する可能性を高めるために、ステップＳ２１３で行うことは妥当である。
また、ステップＳ２１３は、操作によって発生する以外に、入力装置１２０の入力装置マイクロコンピュータ１２３による時間制限によって実行されるようにしてもよい。
【００５０】
したがって、本発明の第１の実施例によれば、受信器１１０においてＩＤ情報と通信チャンネル情報を受信した通信チャンネル情報を、通信に使う通信チャンネルとするため、受信器１１０と入力装置１２０の双方に通信チャンネルをオペレータがそれぞれ行う必要が無いので、設定が簡単化できるようになる。
さらに、受信器１１０には通信チャンネルを設定する通信チャンネル設定ボタンが不要であるため、ボタン分の価格が安くなる他、受信器マイクロコンピュータ１１４も、入出力ポートのより少ないマイクロコンピュータが選択でき、価格が安くできるようになる。
【００５１】
さらに、受信器１１０においてＩＤ情報と通信チャンネル情報を受信した通信チャンネル情報を、通信に使う通信チャンネルとするため、オペレータが受信器１１０と入力装置１２０の通信チャンネルを合致させる必要が無いので、現在使っている通信チャンネルが何チャンネルか知らなくても、設定可能である。これにより、オペレータの作業負荷を減らすことができるようになる。
【００５２】
本発明の基本的構成は以上の通りであるが、情報処理装置本体１０１の入力装置が複数の場合について以下に説明する。この場合、情報処理装置本体１０１と複数の入力装置の間には入力装置の数に応じて複数の通信チャンネルを設定することも可能であるが、通信チャンネルの有効利用の点から１チャンネルの通信チャンネルを共有する例について説明する。
【００５３】
併せて、図１の受信器１１０のＩＤ登録ボタン１１３、入力装置１２０のＩＤ送信ボタン１１８とチャンネル設定ボタン１１９についてさらに工夫を実現している例を説明する。
図３は本発明に係る情報処理装置のワイヤレス入力システムであって第２の実施例の概略構成を示すブロック図である。
【００５４】
本図に示すように、情報処理装置のワイヤレス入力システム１００は、情報処理装置本体１０１、情報処理装置本体１０１に接続される受信器１１０並びに受信器１１０に電波を送信するキーボード３１７及びマウス３２５から構成される。
キーボード３１７及びマウス３２５から受信器１１０に対して、ワイヤレスの無線で、情報処理装置本体１０１を操作するための入力データが送信される。
【００５５】
図１と比較して、情報処理装置本体１０１にはアプリケーション１０３が設けられ、アプリケーション１０３は、一定時間の間だけ、情報処理装置本体１０１とキーボード３１７及びマウス３２５の入力装置とを１対１に対応させるＩＤ情報を受信可能にするモードに受信器１１０を遷移させる指示をするために使用される他、受信器１１０からの入力内容次第で表示する機能を持つ。
【００５６】
受信器１１０の受信器マイクロコンピュータ１１４は、アプリケーション１０３からＩＤ情報登録の指示を受けてから、一定時間の間に、受信部１１６に通信チャンネルを設定し、どの通信チャンネルでＩＤ情報及び通信チャンネル情報が受信できるのかを判断する。
受信器設定記憶部１１５は、キーボード３１７、マウス３２５からのＩＤ情報、通信チャンネル情報を登録する。
【００５７】
受信部１１６は、受信アンテナ１１１を介して、キーボード３１７、マウス３２５からの電波を受信する。
表示部１１７は、受信器１１０、キーボード３１７、マウス３２５の状態を表示する。
次に、キーボード３１７にはキーボード設定記憶部３１８が設けられ、キーボード設定記憶部３１８はＩＤ情報、通信チャンネル情報等を予め記憶しておく。
【００５８】
さらに、キーボード３１７にはキーボード送信部３２０が設けられ、キーボード送信部３２０は、設定される通信チャンネルで、情報処理装置本体１０１に入力される情報を送信出力する。
キーボード設定記憶部３１８とキーボード送信部３２０の間にキーボードマイクロコンピュータ３１９が設けられ、キーボードマイクロコンピュータ３１９は、後述するキー操作によって、キーボード送信部３２０に通信チャンネルを設定し、ＩＤ情報、通信チャンネル情報の送信指示を判断して、キーボード設定記憶部３１８からＩＤ情報、設定された通信チャンネルに対応する通信チャンネル情報を読み出し、キーボード送信部３２０に押下キー情報と共に、読み出したＩＤ情報、通信チャンネル情報を入力させる。
【００５９】
キーボードマイクロコンピュータ３１９にはキーマトリックス３２１が接続され、キーマトリックス３２１に含まれる←キー３２２、→キー３２３及びＥＳＣキー３２４が本発明の構成に使用される。
←キー３２２、→キー３２３及びＥＳＣキー３２４を同時押下すると、キーボードマイクロコンピュータ３１９はキーボード送信部３２０に現在の通信チャンネルを設定する。
【００６０】
同時に、ＩＤ情報、通信チャンネル情報の送信の指示が入力されたと判断され、一定時間の間、ＩＤ情報、設定された通信チャンネルに対応する通信チャンネル情報の送信が開始される。
続けて一定時間内に上記の←キー３２２、→キー３２３及びＥＳＣキー３２４を同時に押下する操作をした場合には、ＩＤ情報、通信チャンネル情報の送信が中断されて、キーボード送信部３２０に次の通信チャンネルに設定が変更され、同時にＩＤ情報、設定が変更された通信チャンネルに対応する通信チャンネル情報の送信が開始される。
【００６１】
次に、マウス３２５には左ボタン３２６、上・下・押下の３つのスイッチで構成されている中央（センター）ボタン３２７、右ボタン３２８が設けられている。
さらに、マウス３２５にはマウス送信部３３０が設けられ、マウス送信部３３０は、送信アンテナ３３２を介して、設定される通信チャンネルで、情報処理装置本体１０１に入力される情報を送信出力する。
【００６２】
マウス３２５にはマウス設定記憶部３３１が設けられ、マウス設定記憶部３３１はＩＤ情報、通信チャンネル情報等を予め記憶しておく。
左ボタン３２６、センターボタン３２７、右ボタン３２８、マウス送信部３３０及びマウス設定記憶部３３１にはマウスマイクロコンピュータ３２９が接続され、マウスマイクロコンピュータ３２９は、後述のボタン操作により、マウス送信部３３０に通信チャンネルを設定し、ＩＤ情報、通信チャンネル情報の送信指示を判断して、マウス設定記憶部３３１からＩＤ情報、設定された通信チャンネルに対応する通信チャンネル情報を読み出し、読み出したＩＤ情報、通信チャンネル情報、左ボタン３２６、センターボタン３２７、右ボタン３２８の押下情報をマウス送信部３３０に入力させる。
【００６３】
左ボタン３２６、右ボタン３２８、センターボタン３２７を同時押下すると、マウスマイクロコンピュータ３２９はマウス送信部３３０に現在の通信チャンネルを設定する。
同時に、ＩＤ情報、通信チャンネル情報の送信指示が入力されたと判断され、一定時間の間、ＩＤ情報、設定された通信チャンネルに対応する通信チャンネル情報の送信が開始される。
【００６４】
続けて一定時間内に上記の左ボタン３２６、右ボタン３２８、センターボタン３２７を同時押下する操作をした場合には、ＩＤ情報の送信が中断されて、次の通信チャンネルに設定が変更され、ＩＤ情報、設定が変更された通信チャンネルに対応する通信チャンネル情報のの送信が開始される。
また、受信器１１０が受信できる通信チャンネルは１つのチャンネルのみであるため、キーボード３１７の通信チャンネルの設定が優先されるとする。
【００６５】
図４は図３におけるキーボード３１７のＩＤ情報を登録する動作例を説明するフローチャートを示す図である。
ステップＳ４０１において、最初に、オペレータは、情報処理装置本体１０１上で動作するアプリケーション１０３を操作し、キーボード３１７のＩＤ情報を登録する指示を入力する。
【００６６】
アプリケーション１０３は、情報処理装置本体１０１に接続されている受信器１１０にキーボード３１７のＩＤ情報を登録する指示を行う。
受信器１１０がキーボード３１７のＩＤ情報を登録する指示を受けると、指示を受けてから一定時間の間、キーボード３１７のＩＤ情報登録可能モードとなる。
【００６７】
受信器マイクロコンピュータ１１４は、表示部１１７にキーボード３１７のＩＤ情報登録可能モードであることを示す指示をし、表示部１１７は、キーボード３１７のＩＤ情報登録可能モードであることを情報処理装置本体１０１のアプリケーション１０３に通知する。
アプリケーション１０３は、キーボード３１７のＩＤ情報登録可能モードを示す表示を行う。
【００６８】
ステップＳ４０２において、受信器１１０の受信器マイクロコンピュータ１１４は、ループカウンタをセットする。
ステップＳ４０３において、受信器１１０の通信チャンネルをチャンネル（ｃｈ）０に設定する。
ステップＳ４０４において、オペレータは、キーボード３１７の←キー３２２、→キー３２３及びＥＳＣキー３２４を同時に押下する。
【００６９】
キーボード３１７のキーボードマイクロコンピュータ３１９は、上記３つのキー押下確認後、キーボード送信部３２０に現在の通信チャンネルを設定する。
続いて、例えば、１秒以内に、上記３つのキー押下が確認された場合には、キーボードマイクロコンピュータ３１９は、キーボード送信部３２０に設定する通信チャンネルを変更する。通信チャンネルの設定・変更に、キーボード設定記憶部３１８からＩＤ情報、設定変更された通信チャンネルに対応する通信チャンネル情報を読み出し、キー押下情報を付加してキーボード送信部３２０に入力させる。
【００７０】
キーボード送信部３２０は入力されたＩＤ情報と通信チャンネル情報、上記３つのキー押下情報を一定時間内に送信する。
ステップＳ４０５において、一方、受信器マイクロコンピュータ１１４は、キーボード３１７から←キー３２２又は→キー３２３又はＥＳＣキー３２４のキー押下情報を、最低１回は受信可能な時間、受信器１１０により受信可能である状態にする。
【００７１】
受信部１１６が、上記３つのキーのうち、いずれかの押下情報を受信し、且つ、受信した通信チャンネル情報が受信した通信チャンネルと合致した場合には、受信器マイクロコンピュータ１１４は、キーボード３１７からの送信であると判断し、通信チャンネルの設定をそのままにし、ＩＤ情報を受信器１１０が１秒間受信できる状態にする。
１秒間の間にＩＤ情報と通信チャンネル情報を受信した場合には、ステップＳ４１１に進む。
【００７２】
受信器１１０がキーボード３１７からの←キー３２２又は→キー３２３又はＥＳＣキー３２４のキー押下情報の待ち時間内に、受信した通信チャンネル情報が受信した通信チャンネルと合致する受信ができなかった場合、又は、受信した通信チャンネル情報が受信した通信チャンネルと合致する受信をしたが、１秒間の間にＩＤ情報の受信ができなかった場合には、ステップＳ４０６に進む。
【００７３】
ステップＳ４０６において、受信器マイクロコンピュータ１１４は、通信チャンネルを次の通信チャンネルに変更し、受信部１１６に変更した通信チャンネルを設定する。
ステップＳ４０７において、次の通信チャンネルを設定する際、既に通信チャンネルが一巡していなければ、ステップＳ４０５に戻り、一巡していることが判明したら、ステップＳ４０８に進む。
【００７４】
ステップＳ４０８において、ループカウンタをデクリメントすることにより、一定回数分の通信チャンネルの切り替え及びＩＤ情報と通信チャンネル情報の受信動作を繰り返したのかを確認する。
一定回数分切り替えされていなければステップＳ４０５に戻り、一定回数繰り返されていればステップＳ４０９に進む。
【００７５】
ステップＳ４０９において、ＩＤ情報と通信チャンネル情報の受信に失敗した場合には、受信器マイクロコンピュータ１１４は受信器設定記憶部１１５から既に登録されている通信チャンネル情報を取り出し、受信部１１６に設定する。
それから、受信器マイクロコンピュータ１１４は表示部１１７にＩＤ情報と通信チャンネル情報の受信のエラーを表示する指示をし、表示部１１７はＩＤ情報と通信チャンネル情報の受信のエラーを表示する指示を情報処理装置本体１０１のアプリケーション１０３に通知する。
【００７６】
アプリケーション１０３は受信に失敗したことを表示する。
ステップＳ４１０において、キーボード３１７はＩＤ情報の送信を開始してから、一定時間が終了すると、送信を停止し、処理を終了する。
ステップＳ４１１において、ステップＳ４０５で受信した通信チャンネル情報が受信した通信チャンネルと合致した場合には、受信器マイクロコンピュータ１１４は受信器設定記憶部１１５にＩＤ情報と通信チャンネル情報を登録する。
【００７７】
ステップＳ４１２において、さらに、受信器マイクロコンピュータ１１４は、ＩＤ情報登録可能モードをＩＤ情報登録不可モードに移行し、表示部１１７にＩＤ情報登録不可モードであることを表示する指示をし、表示部１１７は情報処理装置本体１０１のアプリケーション１０３にＩＤ情報登録可能モードの表示を消す指示をする。アプリケーション１０３はＩＤ情報登録可能モードの表示を消し、ステップＳ４０９に進む。
【００７８】
なお、ステップＳ４０４は、ステップＳ４０１〜ステップＳ４０９に至るまでの間ならば、どのステップの間で実行してもよいが、ＩＤ情報と通信チャンネル情報と登録が成功する可能性を高めるため、ステップＳ４０４の順番で実行するのが妥当である。
ステップＳ４１０の実行は、ステップＳ４０４〜ステップＳ４１０の間に実行される可能性がある。
【００７９】
図５は図３におけるマウス３２５のＩＤ情報を登録する動作例を説明するフローチャートを示す図である。
ステップＳ５０１において、次に、オペレータは、情報処理装置本体１０１上で動作するアプリケーション１０３を操作しマウス３２５のＩＤ情報登録をする指示を入力する。
【００８０】
受信器１１０の通信可能な通信チャンネルは１チャンネルのため、キーボード３１７の通信チャンネルを変更すると、常に、受信器１１０は、キーボード３１７の通信チャンネルで通信可能である。
アプリケーション１０３は、情報処理装置本体１０１に接続されている受信器１１０に、マウス３２５のＩＤ情報登録を行う指示をする。
【００８１】
あるいは、情報処理装置本体１０１のアプリケーション１０３からの、キーボード３１７のＩＤ情報を登録する指示に連続して次の指示が受信器１１０に入力される。
受信器１１０がマウス３２５のＩＤ情報登録の指示を受けると、指示を受けてから一定時間の間、マウス３２５のＩＤ情報登録可能モードとなる。
【００８２】
受信器マイクロコンピュータ１１４は、マウス３２５のＩＤ情報登録が可能であることを示す指示を表示部１１７にし、表示部１１７はマウス３２５のＩＤ情報登録可能モードであることを情報処理装置本体１０１のアプリケーション１０３に通知する。
アプリケーション１０３は、マウス３２５のＩＤ情報登録可能モードを示す表示をする。
【００８３】
ステップＳ５０２において、オペレータは、マウス３２５の左ボタン３２６、右ボタン３２８、センターボタン３２７を同時に押下する。
マウス３２５のマウスマイクロコンピュータ３２９は、上記３つのボタンの押下確認後、マウス送信部３３０に現在の通信チャンネルを設定する。
【００８４】
続いて、例えば、１秒以内に、上記の３つ押下が確認された場合には、マウスマイクロコンピュータ３２９は、マウス送信部３３０に設定する通信チャンネルを変更する。通信チャンネルの設定・変更にマウス設定記憶部３３１から読み出したＩＤ情報、設定変更された通信チャンネルに対応する通信チャンネル情報を読み出しボタン押下情報を付加してマウス送信部３３０に入力させる。
【００８５】
マウス送信部３３０は、入力されたＩＤ情報と通信チャンネル情報を一定時間の間、送信する。
ステップＳ５０３において、一方、受信器マイクロコンピュータ１１４は、マウス３２５の操作によって送信されるＩＤ情報と通信チャンネル情報を受信するのに十分な時間分、受信可能な状態にいる。
【００８６】
この状態のときに受信した通信チャンネル情報が受信した通信チャンネルと合致した場合には、ステップＳ５０６に進む。
受信器１１０がマウス３２５からのＩＤ情報及び通信チャンネル情報が受信できなかった場合、ステップＳ５０４に進む。
ステップＳ５０４において、ＩＤ情報と通信チャンネル情報の受信に失敗した場合には、受信器マイクロコンピュータ１１４は、表示部１１７にＩＤ情報と通信チャンネル情報の受信のエラーを表示する指示をし、表示部１１７はＩＤ情報と通信チャンネル情報の受信のエラーを表示する指示を情報処理装置本体１０１のアプリケーション１０３に通知する。アプリケーション１０３は受信に失敗したことを表示する。ステップＳ５０２に戻る。
【００８７】
ステップＳ５０５において、ステップＳ５０３で受信した通信チャンネル情報が受信した通信チャンネルと合致した場合には、受信器マイクロコンピュータ１１４は受信器設定記憶部１１５にＩＤ情報と通信チャンネル情報とを登録する。ステップＳ５０６において、さらに、受信器マイクロコンピュータ１１４は、ＩＤ情報登録不可モードをＩＤ情報受信不可モードに移行し、ＩＤ情報受信不可モードであることを表示する指示を表示部１１７にすると、表示部１１７は情報処理装置本体１０１のアプリケーション１０３にＩＤ情報登録可能モードの表示を消す指示をする。アプリケーション１０３はＩＤ情報登録可能モードの表示を消す。
【００８８】
ステップＳ５０７において、マウス３２５はＩＤ情報の送信を開始してから、一定時間が終了すると、送信を停止し、処理を終了する。
したがって、本発明によれば、第１の実施例に係る受信器１１０のＩＤ登録ボタン１１３に代わり、情報処理装置本体１０１のアプリケーション１０３からの入力としているので、ＩＤ登録ボタン１１３の分の価格が安くなる他、受信器マイクロコンピュータ１１４も、入出力ポートのより少ないマイクロコンピュータが選択でき、価格が安くできるようになる。
【００８９】
さらに、第１の実施例に係る入力装置１２０のＩＤ送信ボタン１１８、チャンネル設定ボタン１１９の操作に代わり、キーボード３１７の場合には←キー３２２、→キー３２３及びＥＳＣキー３２４の操作、マウス３２５の場合には左ボタン３２６、センターボタン３２７及び右ボタン３２８の操作で実現しているので、ボタン分の価格が安くなる。その他に、入力装置としてのキーボード３１７のキーボードマイクロコンピュータ３１９、マウス３２５のマウスマイクロコンピュータ３２９も、入出力ポートのより少ないマイクロコンピュータが選択でき、価格が安くできるようになる。
【００９０】
さらに、第１の実施例に係るチャンネル設定ボタン１１９による通信チャンネルの変更操作が不要となり、操作すべき対象が少なくなるので、オペレータの操作が容易になる。
さらに、受信器１１０の状態表示を情報処理装置本体１０１のアプリケーション１０３により実現しているので、オペレータにわかりやすい表示にできるようになる。
なお、マウス３２５の通信チャンネルの設定が優先される場合は、図４と図５が入れ替わる手順になる。
【００９１】
次に、図１における第１の実施例に係る受信器１１０のＩＤ登録ボタン１１３について第２の実施例以外の工夫と、第１の実施例に係る入力装置１２０のＩＤ送信ボタン１１８、チャンネル設定ボタン１１９について第２の実施例以外の工夫を実現している例について以下に説明を行う。
【００９２】
図６は本発明に係る情報処理装置のワイヤレス入力システムであって第３の実施例の概略構成を示すブロック図である。
図３と比較して、情報処理装置本体１０１のアプリケーション１０は、キーボード３１７、マウス３２５の入力装置と情報処理装置本体１０１とを１対１に対応させるためのＩＤ情報登録を促すメッセージ等、後述する受信器１１０からの入力内容次第で表示をする機能を持つ。
【００９３】
さらに、受信器１１０の電源をＯＮ・ＯＦＦする電源スイッチ１１２を用いて、受信器１１０の受信器マイクロコンピュータ１１４は、受信器設定記憶部１１５にキーボード３１７又はマウス３２５のＩＤ情報又は通信チャンネル情報が登録されていない場合において、電源スイッチ１１２をＯＮしたときに、強制的にＩＤ情報を登録するモードに移行する判断を行い、一定時間の間に、順々に受信部１１６に通信チャンネルを設定し、どの通信チャンネルでＩＤ情報及び通信チャンネル情報が受信できるのかを判断する。
【００９４】
さらに、キーボード３１７のキーマトリックス３２１に含まれるＥＮＴＥＲキー３１５及びＥＳＣキー３２４が本発明の構成に使用される。
ＥＮＴＥＲキー３１５、ＥＳＣキー３２４、キーボード送信部３２０及びキーボード設定記憶部３１８にはキーボードマイクロコンピュータ３１９が接続され、キーボードマイクロコンピュータ３１９は、ＥＮＴＥＲキー３１５、ＥＳＣキー３２４の後述の操作により、通信チャンネルの設定、ＩＤ情報の送信指示を判断し、キーボード設定記憶部３１８にＩＤ情報、通信チャンネル情報を予め保持する。キーボード設定記憶部３１８からＩＤ情報、通信チャンネル情報を読み出し、キーボード送信部３２０にＩＤ情報、通信チャンネル情報、ＥＮＴＥＲキー３１５、ＥＳＣキー３２４のキー押下情報を入力させる。
【００９５】
ＥＮＴＥＲキー３１５及びＥＳＣキー３２４を同時押下する毎に、キーボード３１７の通信チャンネルの設定は、次の設定に変更され、所定の通信チャンネルを得ることを可能にする。
次に、マウス３２５には左ボタン３２６及び右ボタン３２８が設けられている。
【００９６】
左ボタン３２６、右ボタン３２８、マウス送信部３３０及びマウス設定記憶部３３１にはマウスマイクロコンピュータ３２９が接続され、マウスマイクロコンピュータ３２９は、左ボタン３２６及び右ボタン３２８の後述の操作により、通信チャンネルの設定、ＩＤ情報の送信指示を判断し、マウス設定記憶部３３１にＩＤ情報、通信チャンネル情報を予め保持する。マウス設定記憶部３３１からＩＤ情報、通信チャンネル情報を読み出し、マウス送信部３３０にＩＤ情報、通信チャンネル情報、左ボタン３２６、右ボタン３２８のキー押下情報を入力させる。
【００９７】
左ボタン３２６、右ボタン３２８を同時押下する毎に、マウス３２５の通信チャンネルの設定は、次の設定に変更され、所定の通信チャンネルを得ることを可能にする。
また、受信器１１０が受信できる通信チャンネルは１つの通信チャンネルのみであるため、ＩＤ情報登録時に共通の通信チャンネルの選択をする必要がある。
【００９８】
図７は図６における情報処理装置のワイヤレス入力システムの動作例を説明するフローチャートを示す図である。
ステップＳ６０１において、最初に、オペレータは、情報処理装置本体１０１の電源を投入してアプリケーション１０３を起動する。
ステップＳ６０２において、次にオペレータは、受信器１１０の電源スイッチ１１２をＯＮにする。
【００９９】
受信器１１０の受信器マイクロコンピュータ１１４は、受信器設定記憶部１１５から予め登録されているＩＤ情報、通信チャンネル情報を取り出す。
なお、既に、ＩＤ情報、通信チャンネル情報が登録されていれば、受信器１１０に通信チャンネル情報を設定してデータの受信待ちとなる。
未だ、ＩＤ情報又は通信チャンネル情報が設定されていなければ、ＩＤ情報登録可能モードに移行し、ステップＳ６０３に進む。
【０１００】
ステップＳ６０３において、情報処理装置本体１０１上で起動したアプリケーション１０３は、情報処理装置本体１０１の表示部１０２の画面に、ＩＤ情報登録可能モードであることを表示し、ＩＤ情報登録を行うために、キーボード３１７のＥＮＴＥＲキー３１５を押下し続けることを促すメッセージを表示する。
ステップＳ６０４において、オペレータは、必要に応じて、ＥＮＴＥＲキー３１５及びＥＳＣキー３２４を同時に押下する操作を行うことにより、キーボード３１７の通信チャンネルの設定・変更を行う。
【０１０１】
キーボードマイクロコンピュータ３１９は、キーマトリックス３２１をスキャンしてＥＮＴＥＲキー３１５及びＥＳＣキー３２４の同時押下を検出すると、通信チャンネルを次の通信チャンネルに変更する。
さらに、キーボード送信部３２０に更新した通信チャンネルを設定する。
ステップＳ６０５において、次に、情報処理装置本体１０１のアプリケーション１０３の表示する内容に従って、キーボード３１７のＥＮＴＥＲキー３１５を押下する。
【０１０２】
キーボードマイクロコンピュータ３１９は、キーマトリックス３２１をスキャンしてＥＮＴＥＲキー３１５を検出すると、キーボード設定記憶部３１８からＩＤ情報、設定された通信チャンネルに対応する通信チャンネル情報を取り出して、ＥＮＴＥＲキー３１５の押下情報と一緒にキーボード送信部３２０に入力させる。
【０１０３】
キーボード送信部３２０は、入力された情報を送信する。なお、以下キー操作をした場合、キーボードマイクロコンピュータ３１９は同様の動作を行う。
ステップＳ６０６において、受信器１１０は、ＩＤ情報登録可能モードに移行すると、最初にキーボード３１７のＩＤ情報登録待ちとなる。
受信器１１０の受信器マイクロコンピュータ１１４は、受信器１１０の通信チャンネルをチャンネル（ｃｈ）０に設定する。
【０１０４】
そして、キーボード３１７からのＥＮＴＥＲキー３１５のキー押下情報は、最低１回は受信可能な時間の間、受信部１１６により受信可能な状態とする。
受信部１１６がＥＮＴＥＲキー３１５の押下情報を受信し、且つ、受信した通信チャンネルと合致したら、ＩＤ情報、通信チャンネル情報を受信器設定記憶部１１５に一時的に登録する指示が行われ、ＥＮＴＥＲキー３１５のキー押下情報がアプリケーション１０３に入力される。
【０１０５】
通信チャンネルは、ＥＮＴＥＲキー３１５のキー押下情報を受信し、且つ、受信した通信チャンネル情報が受信した通信チャンネルと合致したときの通信チャンネルに設定されたままとなる。
ステップＳ６０７において、アプリケーション１０３は、ＥＮＴＥＲキー３１５のキー押下情報が入力されたら、オペレータにＩＤ情報、通信チャンネル情報を登録してよいか、確認のために、一度キーボード３１７のＥＮＴＥＲキー３１５を離して、再度ＥＮＴＥＲキー３１５を押下する指示を行う。
【０１０６】
ステップＳ６０８において、受信器１１０は、キーボード３１７からの入力待ちとなる。ＥＮＴＥＲキー３１５のキー押下情報が入力されたら、ＥＮＴＥＲキー３１５のキー押下情報をアプリケーション１０３に入力してステップＳ６０９に進む。ＥＮＴＥＲキー３１５以外、例えば、ＥＳＣキー３２４のキー押下情報が入力されれば、ＥＳＣキー３２４のキー押下情報をアプリケーション１０３に入力して、ステップＳ６０４に戻る。
【０１０７】
ステップＳ６０９において、受信器１１０からＥＮＴＥＲキー３１５のキー押下情報が入力されたら、アプリケーション１０３は、情報処理装置本体１０１の表示部１０２の画面に、ＩＤ情報登録を行うために、マウス３２５の左ボタン３２６を押下し続けることを促すメッセージを表示する。
ステップＳ６１０において、オペレータは、必要に応じて、左ボタン３２６及び右ボタン３２８を同時に押下する操作をすることにより、マウス３２５の通信チャンネルの設定を変更する。
【０１０８】
マウスマイクロコンピュータ３２９は、左ボタン３２６及び右ボタン３２８の同時押下を検出すると、通信チャンネルを次の通信チャンネルに変更する。
さらに、マウス送信部３３０にも更新した通信チャンネルを設定する。
ステップＳ６１１において、情報処理装置本体１０１のアプリケーション１０３の表示する内容に従って、マウス３２５の左ボタン３２６を押下する。
【０１０９】
マウスマイクロコンピュータ３２９は、左ボタン３２６のキー押下情報を検出すると、マウス設定記憶部３３１からＩＤ情報、設定した通信チャンネルに対応する通信チャンネル情報を取り出して、左ボタン３２６のキー押下情報と一緒に、マウス送信部３３０に入力させる。
マウス送信部３３０は、入力された情報を送信する。なお、以下、マウス３２５の操作した場合、マウスマイクロコンピュータ３２９は同様の動作を行う。
【０１１０】
ステップＳ６１２において、受信器１１０は、キーボード３１７のＩＤ情報、通信チャンネル情報を一時的に登録している状態でＥＮＴＥＲキー３１５の情報が入力されると、マウス３２５のＩＤ情報登録待ちとなる。
受信器１１０の受信器マイクロコンピュータ１１４は、受信部１１６の通信チャンネルをチャンネル（ｃｈ）０に設定する。
【０１１１】
そして、マウス３２５からの左ボタン３２６のキー押下情報は、最低１回は受信可能な時間の間、受信部１１６により受信可能な状態となる。
受信部１１６が左ボタン３２６のキー押下情報を受信し、且つ、受信した通信チャンネル情報が受信した通信チャンネルと合致せず、時間が過ぎたら、次の通信チャンネルに切り替えて、また、マウス３２５から左ボタン３２６の押下待ちとなる。
【０１１２】
受信部１１６が左ボタン３２６のキー押下情報を受信し、且つ、受信した通信チャンネルと合致したら、ＩＤ情報、通信チャンネル情報を、受信器設定記憶部１１５に一時的に保持する指示がされ、左ボタン３２６のキー押下情報がアプリケーション１０３に入力される。
通信チャンネルは、左ボタン３２６のキー押下情報を受信し、且つ、受信した通信チャンネル情報が受信した通信チャンネルと合致したときの通信チャンネルに設定されたままである。
【０１１３】
ステップＳ６１３において、アプリケーション１０３は、左ボタン３２６のキー押下情報が入力されたら、オペレータにＩＤ情報、通信チャンネル情報を登録してよいか、確認のために、一度マウス３２５の左ボタン３２６を離して、再度左ボタン３２６を押下する指示を行う。
ステップＳ６１４において、受信器１１０は、マウス３２５からの入力待ちとなる。左ボタン３２６のキー押下情報が入力されたらアプリケーション１０３に左ボタン３２６のキー押下情報が入力されて、ステップＳ６１５に進む。左ボタン３２６以外、例えば、右ボタン３２８のキー押下情報が入力されれば、アプリケーション１０３に右ボタン３２８のキー押下情報を入力して、ステップＳ６１０に戻る。
【０１１４】
ステップＳ６１５において、受信器１１０の通信可能な通信チャンネルは１チャンネルしかないので、アプリケーション１０３は、キーボード３１７とマウス３２５の通信チャンネルの設定に相違が無いか確認するために、キーボード３１７からＥＮＴＥＲキー３１５の入力をする指示を表示する。
ステップＳ６１６において、オペレータは、アプリケーション１０３の指示に従って、キーボード３１７のＥＮＴＥＲキー３１５を押下する。
【０１１５】
アプリケーション１０３にＥＮＴＥＲキー３１５のキー押下情報が入力されれば、ステップＳ６１７に進む。一定時間の間にＥＮＴＥＲキー３１５のキー押下情報が入らなければ、ステップＳ６１９に進む。
ステップＳ６１７において、受信器１１０は、キーボード３１７と左ボタン３２６のＩＤ情報、通信チャンネル情報を一時保持している状態で、キーボード３１７からのＥＮＴＥＲキー３１５のキー押下情報が入力されると、キーボード３１７とマウス３２５の通信チャンネルは同じであることが判断できるので、キーボード３１７とマウス３２５のＩＤ情報と、キーボード３１７とマウス３２５共通の通信チャンネルを受信器設定記憶部１１５に入力して保持し、ＩＤ情報登録可能モードからＩＤ情報登録不可モードに移行する。
【０１１６】
ステップＳ６１８において、アプリケーション１０３は、情報処理装置本体１０１の表示部１０２の画面に正常終了した表示をして処理を終了する。
ステップＳ６１９において、ステップＳ６１６からステップＳ６１９に進んだ場合には、アプリケーション１０３は、情報処理装置本体１０１の表示部１０２の画面に異常終了した表示をして処理を終了する。
【０１１７】
したがって、本発明によれば、第１の実施例、第２の実施例の効果に加えて、ＩＤ情報登録の指示が受信器１１０にＩＤ情報登録が行われていない場合に強制的に発生することにより、確実にオペレータにＩＤ情報登録及び通信チャンネルの設定を実施させることが可能になり、ＩＤ情報登録モードにする操作が省略できるようになる。
【０１１８】
さらに、キーボード３１７、マウス３２５から送信される情報に、常にＩＤ情報、通信チャンネル情報が含まれるのを利用して、ＩＤ情報登録時に押下するキーボード３１７のキー、マウス３２５のボタンを特定すること、登録の順番、手順を決めることによって、キーボード３１７、マウス３２５の複雑な操作によるＩＤ情報の送信を簡単化でき、通常に使われるＥＮＴＥＲキー３１５、左ボタン３２６を単純に押下することによって、ＩＤ情報、通信チャンネル情報が受信器１１０で識別できるようになる。
【０１１９】
【発明の効果】
以上説明したように、本発明によれば、情報処理装置本体と入力装置を１対１に対応させるためのＩＤ情報を保持し、入力装置から受信器に所定の通信チャンネルでＩＤ情報及び通信チャンネル情報を送信し、ＩＤ情報登録可能モード時に、順々に通信チャンネルを設定し、入力装置からのＩＤ情報、通信チャンネル情報を受信し、受信できた通信チャンネルと受信した通信チャンネル情報が合致し、ＩＤ情報、通信チャンネル情報を受信した場合に、受信したＩＤ情報、通信チャンネル情報を登録するようにしたので、受信器の通信チャンネルを一定時間の間に変化させてＩＤ情報を受信することにより、受信器の通信チャンネルを入力装置の通信チャンネルに合わせることができるので、他の情報処理装置との混信、漏洩を容易に防止できる。さらに、受信器においてＩＤ情報と通信チャンネル情報を受信した通信チャンネル情報を、通信に使う通信チャンネルとするため、受信器と入力装置の双方に通信チャンネルをオペレータがそれぞれ行う必要が無いので、設定が簡単化できるようになる。
【０１２２】
また、受信器に表示部を設け、表示部は、ＩＤ情報登録可能モード、ＩＤ情報登録不可モード、ＩＤ情報と通信チャンネル情報の受信のエラーを含む受信器、入力装置の状態を表示するようにしたので、オペレータに情報を提供することが可能になる。
【図面の簡単な説明】
【図１】本発明に係る情報処理装置のワイヤレス入力システムであって第１の実施例の概略構成を示すブロック図である。
【図２】図１における情報処理装置のワイヤレス入力システムの動作例を説明するフローチャートを示す図である。
【図３】本発明に係る情報処理装置のワイヤレス入力システムであって第２の実施例の概略構成を示すブロック図である。
【図４】図３におけるキーボード３１７のＩＤ情報を登録する動作例を説明するフローチャートを示す図である。
【図５】図３におけるマウス３２５のＩＤ情報を登録する動作例を説明するフローチャートを示す図である。
【図６】本発明に係る情報処理装置のワイヤレス入力システムであって第３の実施例の概略構成を示すブロック図である。
【図７】図６における情報処理装置のワイヤレス入力システムの動作例を説明するフローチャートを示す図である。
【図８】ワイヤレスキーボードＩＤ登録方法を説明する概略構成を示すブロック図である。
【図９】電子計算機への無線キーボード接続方式を説明する概略構成を示すブロック図である。
【符号の説明】
１０１…情報処理装置本体
１０２、１１７…表示部、
１０３…アプリケーション
１１０…受信器
１１１…受信アンテナ
１１２…電源スイッチ
１１３…ＩＤ登録ボタン
１１４…受信器マイクロコンピュータ
１１５…受信器設定記憶部
１１６…受信部
１１８…ＩＤ送信ボタン
１１９…チャンネル設定ボタン
１２０…入力装置
１２１…送信部
１２２…入力装置設定記憶部
１２３…入力装置マイクロコンピュータ
１２４、３１６、３３２…送信アンテナ
３１５…ＥＮＴＥＲキー
３１７…キーボード
３１８…キーボード設定記憶部
３１９…キーボードマイクロコンピュータ
３２０…キーボード送信部
３２１…キーマトリックス
３２２…←キー
３２３…→キー
３２４…ＥＳＣキー
３２５…マウス
３２６…左ボタン
３２７…センターボタン
３２８…右ボタン
３２９…マウスマイクロコンピュータ
３３０…マウス送信部
３３１…マウス設定記憶部
【図１】
0003845315.tif 000002
【図２】
0003845315.tif 000003
【図３】
0003845315.tif 000004
【図４】
0003845315.tif 000005
【図５】
0003845315.tif 000006
【図６】
0003845315.tif 000007
【図７】
0003845315.tif 000008
【図８】
0003845315.tif 000009
【図９】
0003845315.tif 000010